(57)【要約】【課題】販売機本体の開閉に伴う商品収納庫の円滑な開閉を維持しながら、商品収納庫の十分なシール性を確保することができる自動販売機の扉装置を提供する。【解決手段】商品収納庫６の前面の開口６ａ、およびこれを内蔵する販売機本体３の前面の開口を開閉するための自動販売機１の扉装置であって、販売機本体３の左右の側部の一方の前端部に、上下方向に延びるヒンジピン４ｂを中心に回動自在に取り付けられ、販売機本体３の開口を開閉するメインドア２と、メインドア２の背面側に配置されるとともに、販売機本体３の一方の側部の内壁３ａの、商品収納庫６の前端付近の位置に、上下方向に延びるヒンジピン１１ｂを中心に回動自在に取り付けられ、商品収納庫６の開口６ａを開閉する上断熱ドア８Ａと、メインドア２と上断熱ドア８Ａとの間に連結され、メインドア２の開閉に伴い上断熱ドア８Ａを連動して開閉させるドア連動機構と、を備えている。【選択図】　　図１
2004038664.tif 000002
【特許請求の範囲】
【請求項１】
商品収納庫の前面の開口、および当該商品収納庫を内蔵する販売機本体の前面の開口を開閉するための自動販売機の扉装置であって、
前記販売機本体の左右の側部の一方の前端部に、上下方向に延びる第１軸線を中心に回動自在に取り付けられ、前記販売機本体の前記開口を開閉する外部ドアと、
この外部ドアの背面側に配置されるとともに、前記販売機本体の前記一方の側部の内壁の、前記商品収納庫の前端付近の位置に、上下方向に延びる第２軸線を中心に回動自在に取り付けられ、前記商品収納庫の前記開口を開閉する内部ドアと、
前記外部ドアと前記内部ドアとの間に連結され、前記外部ドアの開閉に伴い前記内部ドアを連動して開閉させるドア連動機構と、
を備えていることを特徴とする自動販売機の扉装置。
【請求項２】
前記ドア連動機構は、
前記外部ドアの背面に取り付けられ、左右方向に延びるレールと、
前記内部ドアの前記第２軸線と反対側の端部に取り付けられ、前記レールに回動自在且つスライド自在に係合するスライダと、
を有していることを特徴とする請求項１に記載の自動販売機の扉装置。
【請求項３】
前記レールおよび前記スライダの少なくとも一方は、前記外部ドアおよび前記内部ドアに対して前後方向に所定の範囲内で移動自在に取り付けられており、
前記内部ドアを前記外部ドアに対して離隔方向に付勢する付勢手段を、さらに備えていることを特徴とする請求項２に記載の自動販売機の扉装置。
【発明の詳細な説明】
【０００１】
【発明の属する技術分野】
本発明は、自動販売機の扉装置に関し、特に自動販売機の正面のメインドアの開閉に伴い、その背面側の断熱ドアで商品収納庫を開閉する自動販売機の扉装置に関する。
【０００２】
【従来の技術】
一般に、缶飲料や紙パック飲料などを販売する自動販売機の正面には、商品見本、商品選択ボタン、金銭投入口および商品取出口などを有するメインドアが設けられている。図４（ａ）は、従来の自動販売機のメインドアの周囲を示している。同図に示すように、メインドア２１は、前面が開口した販売機本体２２の前端部（同図では下端部）に、上下方向に延びる回動軸２３を中心に回動自在に取り付けられており、商品補充時やメンテナンス時などに開閉される。また、販売機本体２２には、前面に開口２４ａを有し、周囲が断熱壁で構成された商品収納庫２４が内蔵されている。この商品収納庫２４の開口２４ａの周縁部にはブレーカ２５が取り付けられており、このブレーカ２５に、前方から断熱ドア２６の周縁部を密着させた状態で、開口２４ａを閉鎖することにより、商品収納庫２４内の冷気や暖気の漏れを防止している。
【０００３】
この断熱ドア２６は、上下に２分割されており、下側の断熱ドア（以下「下断熱ドア」という）は、販売機本体２２に取り付けられた図示しないヒンジを介して、上下方向に延びる軸線回りに回動しながら、商品収納庫２４の開口２４ａの下半部を開閉する。一方、上側の断熱ドア（以下「上断熱ドア２６」という）は、メインドア２１の背面に取り付けられており、商品収納庫２４の開口２４ａの上半部を開閉することで、商品収納庫２４の上部に位置する商品投入口を併せて開閉するようになっている。つまり、このような断熱ドア２６では、商品補充時に、商品収納庫２４内の温度変化を極力抑えるために、メインドア２１が開放しても、下断熱ドアが閉鎖した状態に保持される一方、メインドア２１を開放して直ぐに、商品投入口を介して商品を補充できるようにするために、メインドア２１の開放に連動して、上断熱ドア２６が開放されるようになっている。
【０００４】
【発明が解決しようとする課題】
ところで、近年、缶飲料などに加えて、ペットボトル飲料を販売可能な自動販売機が増加している。一般に、ペットボトルの高さは、飲料缶のそれに比べて高い。そのため、ペットボトル飲料が横倒しの状態で収納される商品収納庫２４では、その内部の左右方向の幅Ｗ１が、従来に比べて大きくなる傾向にある。他方、自動販売機自体の左右方向の幅Ｗ２は、設置スペースの制約や省スペース化の要請などから、拡大することがほとんどできない。このため、図４（ｃ）に示すように、上断熱ドア２６はそのままで、商品収納庫２４内の幅Ｗ１を大きくしたときには、ブレーカ２５に当接する断熱ドア２６の部分（以下「ラップ代」という）が、同図（ｂ）に比べて明らかに少なく、商品収納庫２４のシール性が不十分となることがある。
【０００５】
もちろん、同図（ｄ）に示すように、上断熱ドア２６の左右方向のサイズを拡大し、その右端部を右方に延ばすようにすることで、十分なラップ代を確保することは可能である。しかしこの場合、同図（ｄ）の一点鎖線の矢印で示すように、メインドア２１の開閉時に、上断熱ドア２６の右端部が、閉鎖時の位置よりも右方に膨らむように移動し、その結果、販売機本体２２の前端部の右内壁に干渉してしまうことがある。
【０００６】
本発明は、以上のような課題を解決するためになされたものであり、販売機本体の開閉に伴う商品収納庫の円滑な開閉を維持しながら、商品収納庫の十分なシール性を確保することができる自動販売機の扉装置を提供することを目的とする。
【０００７】
【課題を解決するための手段】
本発明に係る自動販売機の扉装置は、商品収納庫の前面の開口、および商品収納庫を内蔵する販売機本体の前面の開口を開閉するための自動販売機の扉装置であって、販売機本体の左右の側部の一方の前端部に、上下方向に延びる第１軸線を中心に回動自在に取り付けられ、販売機本体の開口を開閉する外部ドアと、この外部ドアの背面側に配置されるとともに、販売機本体の一方の側部の内壁の、商品収納庫の前端付近の位置に、上下方向に延びる第２軸線を中心に回動自在に取り付けられ、商品収納庫の開口を開閉する内部ドアと、外部ドアと内部ドアとの間に連結され、外部ドアの開閉に伴い内部ドアを連動して開閉させるドア連動機構と、を備えていることを特徴とする。
【０００８】
この構成によれば、販売機本体の左右の側部の一方の前端部に取り付けられた外部ドアは、上記第１軸線を中心に回動しながら販売機本体の前面の開口を開閉する。一方、販売機本体の上記側部の内壁の、商品収納庫の前端付近の位置に取り付けられた内部ドアは、上記第２軸線を中心に回動しながら商品収納庫の前面の開口を開閉する。これらの外部ドアおよび内部ドアは、ドア連動機構によって互いに連結され、外部ドアの開閉に伴い、内部ドアが連動して開閉するので、販売機本体の開閉に連動して、商品収納庫を開閉することができる。また、内部ドアは、開閉の際に、上記第２軸線を中心に回動するので、内部ドアの第２軸線と反対側の端部（以下、本明細書において「自由端部」という）が、閉鎖状態の内部ドアの自由端部の位置よりも外方に膨らむように移動することがない。したがって、商品収納庫の開口が左右方向に拡大することで、その開口の縁部が販売機本体の内壁に接近する場合であっても、その開口を開閉する内部ドアでは、その自由端部を販売機本体の内壁付近まで延ばすことが可能であり、そうすることにより、販売機本体の開閉に伴う商品収納庫の円滑な開閉を維持しながら、商品収納庫の十分なシール性を確保することができる。
【０００９】
この場合、ドア連動機構は、外部ドアの背面に取り付けられ、左右方向に延びるレールと、内部ドアの第２軸線と反対側の端部に取り付けられ、レールに回動自在且つスライド自在に係合するスライダと、を有していることが好ましい。
【００１０】
この構成によれば、第１軸線を中心に外部ドアを回動させながら開閉すると、内部ドアの自由端部に取り付けられたスライダが、外部ドアの背面に取り付けられたレールに対し、回動しながら且つレールに沿ってスライドする。この場合、内部ドアは、外部ドアとの為す角度および外部ドアに対する自由端部の位置が変化しながら、第２軸線を中心に回動する。したがって、上記構成のレールおよびスライダを有するドア連動機構により、販売機本体の開閉に伴う商品収納庫の円滑な開閉を、簡単な構成で容易に実現することができる。
【００１１】
またこの場合、レールおよびスライダの少なくとも一方は、外部ドアおよび内部ドアに対して前後方向に所定の範囲内で移動自在に取り付けられており、内部ドアを外部ドアに対して離隔方向に付勢する付勢手段を、さらに備えていることが好ましい。
【００１２】
この構成によれば、レールおよびスライダの少なくとも一方が、外部ドアおよび内部ドアに対して前後方向に所定の範囲内で移動自在であるので、例えば、販売機本体の閉鎖の際に、外部ドアが販売機本体を完全に閉鎖する前に、内部ドアが商品収納庫の開口の縁部に当接しても、内部ドアが前方の外部ドアに近づくことで、内部ドアが邪魔になることなく、販売機本体を外部ドアで閉鎖することができる。また、付勢手段により、内部ドアが外部ドアに対して離隔方向に付勢されるので、販売機本体の閉鎖時には、内部ドアが商品収納庫の開口の縁部に強く押し付けられた状態となる。したがって、上記構成により、外部ドアによる販売機本体の確実な閉鎖を確保しつつ、商品収納庫のシール性をより一層高めることができる。
【００１３】
【発明の実施の形態】
以下、図面を参照しながら、本発明の好ましい実施形態を詳細に説明する。図１は、本発明の一実施形態による扉装置を適用した自動販売機のメインドアの周囲を示しており、図２は、その左右端部をそれぞれ拡大して示している。この自動販売機１は、缶飲料の他、これに代えてまたはこれとともに、ペットボトル飲料などの商品が販売可能なものである。これらの図に示すように、メインドア２（外部ドア）は、販売機本体３の左前端部に、上下２つのメインドア用ヒンジ４（図１、２では１つのみ図示）を介して回動自在に取り付けられている。このメインドア２は、一般的な自動販売機のそれと同様に、商品見本、商品選択ボタン、金銭投入口および商品取出口などを有し、また背面には、表面に商品見本や広告パネルなどが展示されるディスプレイパネル５を有している。
【００１４】
各メインドア用ヒンジ４は、メインドア２および販売機本体３にそれぞれ取り付けられるとともに、互いに一部が重なり合った２つのヒンジプレート４ａ（メインドア２に取り付けられたもののみ図示）と、その重なり部分に挿通され、上下方向に延びるヒンジピン４ｂ（第１軸線）とを有している。このようなメインドア用ヒンジ４により、メインドア２がヒンジピン４ｂを中心に回動しながら、販売機本体３を開閉する。
【００１５】
販売機本体３は、前面が開口したボックス状に形成されており、内部には、前面に開口６ａを有し且つ周囲が断熱壁で構成された商品収納庫６が設けられている。この商品収納庫６の開口６ａの周縁部には、合成樹脂などからなるブレーカ７が取り付けられている。そして、このブレーカ７に、断熱ドア８が前方から密着することにより、商品収納庫６内の冷気や暖気が漏れるのを防止し、これにより、商品収納庫６内の温度を、設定された所定温度に保つことで、商品を冷却あるいは加温している。
【００１６】
なお図示しないが、商品収納庫６内には、前後方向に蛇行しながら上下方向に延び、且つ、前後方向および左右方向に複数列のコラムを有する、いわゆるサーペンタイン式の商品ラックが収容されている。また、これらのコラムへの商品投入口がそれぞれ、前方に開口し且つ商品収納庫６の上部に配置されている。そして、商品補充時に、商品投入口を介して商品が順次投入されると、それらの商品は、横倒しで且つ上下方向に積み重なるように、各コラムに収納される。
【００１７】
断熱ドア８は、図３（ａ）に示すように、互いに上下方向に並んだ状態で配置された上断熱ドア８Ａおよび下断熱ドア８Ｂで構成されている。上断熱ドア８Ａ（内部ドア）は、図１および図２（ａ）に示すように、販売機本体３の左前端部の内壁３ａに、互いに上下方向に所定間隔を隔てて配置された複数の上断熱ドア用ヒンジ１１（図１、２では１つのみ図示）を介して、回動自在に取り付けられている。各上断熱ドア用ヒンジ１１は、販売機本体３の内壁３ａおよび上断熱ドア８Ａの左端部にそれぞれ取り付けられたヒンジプレート１１ａ、１１ａと、上下方向に延びるとともに、両ヒンジプレート１１ａ、１１ａを回動自在に連結するヒンジピン１１ｂ（第２軸線）とで構成されている。なお、各上断熱ドア用ヒンジ１１は、そのヒンジピン１１ｂが上記メインドア用ヒンジ４のヒンジピン４ｂと平行となるように配置されている。
【００１８】
上断熱ドア８Ａは、内部に断熱材を有するとともに、正面形状が矩形状に形成されている。そして、この上断熱ドア８Ａの上断熱ドア用ヒンジ１１と反対側の右端部、すなわち上断熱ドア８Ａの自由端部には、上断熱ドア８Ａをメインドア２に連結するための連結金具１２（スライダ）が取り付けられている。
【００１９】
この連結金具１２は、図２（ｂ）および図３（ｂ）に示すように、所定形状の金属板を曲げ加工などすることにより形成したものである。具体的には、上断熱ドア８Ａの右端面に、取付けピン１３を介して取り付けられた横長の取付部１４と、この取付部１４のメインドア２側の端部に、上下方向に延びる円筒状に形成されたカール部１５とを有している。
【００２０】
取付部１４には、上断熱ドア８Ａの厚さ方向に延びる長孔１４ａが形成されている。そして、この長孔１４ａに、取付けピン１３の軸部１３ａが挿入されている。したがって、上断熱ドア８Ａの自由端部は、メインドア２に対し、長孔１４ａの長さ分、前後方向に、より具体的には、メインドア２に接近する方向および離隔する方向に移動できるようになっている。一方、カール部１５は、その高さが取付部１４の高さ寸法よりも大きく形成されている。このように構成された連結金具１２は、カール部１５を介して、ディスプレイパネル５の背面に取り付けられたレール１６に係合している。
【００２１】
このレール１６は、メインドア２のメインドア用ヒンジ４と反対側の右端部、すなわちディスプレイパネル５の背面の右端部に、左右方向に延びるように取り付けられている。より具体的には、レール１６は、上記ヒンジ４、１１のヒンジピン４ｂ、１１ｂと直交するように、ディスプレイパネル５に沿ってほぼ水平に所定長さ延び、上断熱ドア８Ａ側に開口した断面Ｃ字状に形成されている。このレール１６の開口１６ａの上下方向の寸法は、連結金具１２の取付部１４のそれよりも大きく且つカール部１５のそれよりも小さく形成されている。したがって、連結金具１２は、カール部１５を介して、レール１６に回動自在且つスライド自在に係合している。
【００２２】
また、上断熱ドア８Ａのディスプレイパネル５側の面には、図３（ａ）に示すように、複数（同図では２つのみ図示）の円錐状のコイルばね１７（付勢手段）が取り付けられており、各コイルばね１７が、上断熱ドア８Ａとディスプレイパネル５との間で圧縮されている。つまり、これらのコイルばね１７によって、上断熱ドア８Ａが、ディスプレイパネル５に対して離隔する方向に付勢されている。
【００２３】
なお、このような上断熱ドア８Ａの下方に配置された下断熱ドア８Ｂは、販売機本体３の左前端部の内壁３ａに、上断熱ドア用ヒンジ１１と同様のヒンジを介して、回動自在に取り付けられている。そして、この下断熱ドア８Ｂは、メインドア２および上断熱ドア８Ａとは無関係に回動可能であるとともに、常時は、閉鎖した状態に保持される。
【００２４】
ここで、メインドア２の開閉に伴う断熱ドア８の動作について簡単に説明する。図１に実線で示すように、メインドア２が閉鎖状態のときには、断熱ドア８の背面の縁部が、商品収納庫６のブレーカ７に押し付けられた状態となる。これにより、商品収納庫６の開口６ａが、断熱ドア８によって閉鎖され、商品収納庫６と断熱ドア８との隙間から冷気や暖気が漏れることがなく、商品収納庫６内が気密に保たれる。またこの場合、図２（ｂ）に示すように、上断熱ドア８Ａの右端面に取り付けられた連結金具１２は、そのカール部１５がレール１６の右端寄りに位置している。
【００２５】
このような閉鎖状態から、メインドア２を図１の二点鎖線で示すように開放させると、このメインドア２は、メインドア用ヒンジ４のヒンジピン４ｂを中心として、円弧状の軌跡Ｃ１を描くように、時計方向に回動する。この場合、上断熱ドア８Ａは、メインドア２の開放に連動し、上断熱ドア用ヒンジ１１のヒンジピン１１ｂを中心とする円弧状の軌跡Ｃ２を描くように、時計方向に回動する。またこの場合、連結金具１２は、カール部１５がその中心軸線回りに若干回動しながら、レール１６の右端寄りの位置から左端に向かってスライドする。
【００２６】
このように、メインドア２の開放に連動して、上断熱ドア８Ａがヒンジピン１１ｂを中心に回動し、これにより、商品収納庫６の開口６ａの上部（商品投入口）を開放する。そして、商品補充の終了後、上記と逆に、メインドア２を反時計方向に回動させながら閉鎖する。これに伴い、上断熱ドア８Ａも反時計方向に回動しながら閉鎖する。この場合、上断熱ドア８Ａは、メインドア２の背面側のディスプレイパネル５との間に配置された複数のコイルばね１７により、商品収納庫６の開口６ａ周縁部のブレーカ７に強く押し付けられた状態となる。これにより、上断熱ドア８Ａによるシール性が、より一層高められる。
【００２７】
以上詳述したように、本実施形態によれば、メインドア２が、メインドア用ヒンジ４を介して販売機本体３の左前端部に回動自在に取り付けられるとともに、上断熱ドア８Ａが、上断熱ドア用ヒンジ１１を介して販売機本体３の内壁３ａに回動自在に取り付けられ、加えて、これらメインドア２および上断熱ドア８Ａが、連結金具１２およびレール１６を介して連結されているので、販売機本体３の開閉に伴って、商品収納庫６の上部の商品投入口を開閉することができる。
【００２８】
また、上断熱ドア用ヒンジ１１は、販売機本体３の左前端部の内壁３ａに取り付けられているので、上断熱ドア８Ａの開閉時に、その右端部である自由端部が、閉鎖状態のときの位置よりも右方に膨らむように移動することはない。したがって、商品収納庫６の開口６ａが左右方向に拡大することで、開口６ａの縁部が販売機本体３の右前端部の内壁に接近する場合であっても、上断熱ドア８Ａでは、その自由端部を販売機本体３の内壁付近まで延ばすことが可能であり、そうすることにより、販売機本体３の開閉に伴う商品収納庫６の円滑な開閉を維持しながら、商品収納庫６の十分なシール性を確保することができる。
【００２９】
なお、本発明は、説明した上記実施形態に限定されることなく、種々の態様で実施することができる。例えば、本発明のドア連動機構として、連結金具１２およびレール１６を用いたが、ドア連動機構はこれらに限定されるものではなく、メインドア２と上断熱ドア８Ａとを連結するとともに、メインドア２の開閉に伴って、上断熱ドア８Ａを連動して開閉できるように構成されたものであれば、種々の構造のものを採用することが可能である。また、実施形態では、連結金具１２に長孔１４ａを形成することで、この連結金具１２を、上断熱ドア８Ａに対して前後方向に移動可能としたが、これに代えて、あるいはこれとともに、レール１６を、ディスプレイパネル５に対して前後方向に移動可能に構成してもよい。これらにより、上断熱ドア８Ａの自由端部を、メインドア２に対し、接近する方向および離隔する方向に移動させることができる。
【００３０】
また、実施形態では、本発明の扉装置を、自動販売機のドアに適用した場合について説明したが、これ以外に、２重扉を要する各種分野の扉装置に適用することも可能である。さらに、実施形態で示したメインドア２および上断熱ドア８Ａの細部の構成などは、あくまで例示であり、本発明の趣旨の範囲内で適宜、変更することができる。
【００３１】
【発明の効果】
以上詳述したように、本発明の自動販売機の扉装置は、販売機本体の開閉に伴う商品収納庫の円滑な開閉を維持しながら、商品収納庫の十分なシール性を確保することができるなどの効果を有する。
【図面の簡単な説明】
【図１】本発明の一実施形態による扉装置を適用した自動販売機のメインドアの周囲を示す平面図である。
【図２】（ａ）および（ｂ）はそれぞれ、図１のメインドアおよび上断熱ドアの一点鎖線の円内を拡大して示す図である。
【図３】（ａ）は、断熱ドアを自由端側から見たときの側面図であり、（ｂ）は（ａ）の一点鎖線の円内を拡大して示す図である。
【図４】（ａ）は従来の自動販売機のメインドアの周囲を示す平面図であり、（ｂ）〜（ｄ）は、（ａ）のメインドアの右端部の周囲を示す拡大図であり、特に、（ｃ）は商品収納庫の左右方向の幅を拡大したときの状態、（ｄ）は（ｃ）の場合に断熱ドアの右端部を右方に延ばしたときの状態を示す。
【符号の説明】
１　　　自動販売機
２　　　メインドア（外部ドア）
３　　　販売機本体
３ａ　　販売機本体の左前端部の内壁
４　　　メインドア用ヒンジ
４ｂ　　ヒンジピン（第１軸線）
６　　　商品収納庫
６ａ　　商品収納庫の開口
８Ａ　　上断熱ドア（内部ドア）
１１　　上断熱ドア用ヒンジ
１１ｂ　ヒンジピン（第２軸線）
１２　　連結金具（スライダ）
１６　　レール
１７　　コイルばね（付勢手段）
【図１】
2004038664.tif 000003
【図２】
2004038664.tif 000004
【図３】
2004038664.tif 000005
【図４】
2004038664.tif 000006